(57)【要約】【課題】収納カセット搬送に対する保険料を実運用に合わせ、収納カセットの回収コストを削減し、万一の盗難時の被害額を抑制し、回収担当者の精神的負担を軽減することができる貨幣処理機を提供する。【解決手段】貨幣処理機は、貨幣の識別を行う識別部と、前記識別部により識別された貨幣を収納する収納部と、前記識別部による貨幣の識別結果を用いて前記収納部に収納されている貨幣の合計金額を算出し、前記合計金額が所定金額を超えないように前記収納部への貨幣の収納を制御する制御部と、を備える。【選択図】図３
2013131111.tif 000002
【特許請求の範囲】
【請求項１】
貨幣の識別を行う識別部と、
前記識別部により識別された貨幣を収納する収納部と、
前記識別部による貨幣の識別結果を用いて前記収納部に収納されている貨幣の合計金額を算出し、前記合計金額が所定金額を超えないように前記収納部への貨幣の収納を制御する制御部と、
を備える貨幣処理機。
【請求項２】
前記収納部は装脱可能な収納カセットを有することを特徴とする請求項１に記載の貨幣処理機。
【請求項３】
前記収納部は複数の収納カセットを有することを特徴とする請求項１又は２に記載の貨幣処理機。
【請求項４】
前記所定金額は前記複数の収納カセットの各々に対して設定されており、
前記制御部は、複数の収納カセットの各々について、収納されている貨幣の金額が、対応する所定金額を超えないように貨幣の収納を制御することを特徴とする請求項３に記載の貨幣処理機。
【請求項５】
前記制御部は、前記複数の収納カセットに収納されている貨幣の合計金額が前記所定金額を超えないように貨幣の収納を制御することを特徴とする請求項３に記載の貨幣処理機。
【請求項６】
前記収納部は、装脱可能な収納カセットを含む複数の収納カセットを有し、
前記制御部は、当該貨幣処理機に装着されていない収納カセットに収納されている貨幣の金額を含む合計金額を管理していることを特徴とする請求項１乃至３のいずれかに記載の貨幣処理機。
【請求項７】
前記収納部は、前記識別部により識別されていない有価媒体を収納することができることを特徴とする請求項１乃至６のいずれかに記載の貨幣処理機。
【請求項８】
前記有価媒体に関する情報が入力される入力部をさらに備え、
前記制御部は、前記識別部による貨幣の識別結果と、前記入力部を介して入力された情報とを用いて、前記合計金額を算出することを特徴とする請求項７に記載の貨幣処理機。
【請求項９】
前記制御部は、前記収納部に収納されている貨幣の物理量が所定量を超えないように貨幣の収納を制御することを特徴とする請求項１に記載の貨幣処理機。
【請求項１０】
前記識別部により識別された貨幣を保留する保留部をさらに備え、
前記制御部は、前記合計金額が前記所定金額に達している場合、又は前記合計金額と前記所定金額との差額が所定値以下になった場合、又は前記保留部に保留される貨幣を前記収納部に収納すると前記合計金額が前記所定金額を超える場合、前記収納部による貨幣の収納を停止し、前記識別部により識別された貨幣を前記保留部から返却するように制御することを特徴とする請求項１に記載の貨幣処理機。
【請求項１１】
前記制御部は、前記収納部に収納されている貨幣の物理量が所定量に達した場合、又は前記物理量と前記所定量との差が所定以下になった場合、前記収納部による貨幣の収納を停止し、前記識別部により識別された貨幣を前記保留部から返却するように制御することを特徴とする請求項１０に記載の貨幣処理機。
【請求項１２】
前記合計金額と前記所定金額との差額を表示する表示部をさらに備えることを特徴とする請求項１に記載の貨幣処理機。
【発明の詳細な説明】
【技術分野】
【０００１】
本発明は、店舗等において売上金等の貨幣の入金処理等を行う貨幣処理機に関する。
【背景技術】
【０００２】
従来、店舗等において売上金等を入金して識別計数を行い入金処理する貨幣処理機が知られている（例えば特許文献１参照）。貨幣処理機には、貨幣を収納する収納カセットが設けられており、この収納カセットは、売上金の回収業務を委託された警備会社により回収され、現金センター等へ搬送される。従来の貨幣処理機は、制御部が収納カセットの収納枚数を管理したり、センサが収納カセット内の収納状況を検知したりして、収納カセットがフル（満杯）になるまで貨幣が収納できるようになっていた。
【０００３】
警備会社は、収納カセットを搬送するにあたり盗難等のリスクに対する保険に加入しているが、保険料は収納カセットの容量（最大収納枚数）によって決定される。例えば、収納カセットの容量が紙幣３０００枚であった場合、収納カセットが１万円紙幣で満杯になった場合の３０００万円が収納カセット内の現金の上限金額となるため、これを基準に保険料が設定されている。但し、実際には、このような上限金額よりも低い金額の現金が収納された状態で収納カセットは回収されている。
【０００４】
このように、従来は、収納カセットの最大収納枚数によって求まる上限金額でのみ保険料が設定され、収納カセットの回収コスト削減の妨げとなっていた。また、収納カセットの回収・搬送時に、満杯まで紙幣を収納した収納カセットが盗難にあった場合、被害額が極めて大きかった。また、そのような多量の紙幣を収納した収納カセットを回収・搬送する担当者に大きな精神的負担がかかっていた。
【先行技術文献】
【特許文献】
【０００５】
【特許文献１】特開２０１０−２２４６０５号公報
【発明の概要】
【発明が解決しようとする課題】
【０００６】
本発明は、このような点を考慮してなされたものであり、収納カセット内の貨幣の枚数だけでなく、合計金額に基づいて収納カセットをフルと判定することができ、このことにより収納カセット搬送に対する保険料を実運用に合わせ、収納カセットの回収コストを削減し、万一の盗難時の被害額を抑制し、回収担当者の精神的負担を軽減することができる貨幣処理機を提供することを目的とする。
【課題を解決するための手段】
【０００７】
本発明の一態様による貨幣処理機は、貨幣の識別を行う識別部と、前記識別部により識別された貨幣を収納する収納部と、前記識別部による貨幣の識別結果を用いて前記収納部に収納されている貨幣の合計金額を算出し、前記合計金額が所定金額を超えないように前記収納部への貨幣の収納を制御する制御部と、を備えるものである。
【０００８】
本発明の一態様による貨幣処理機においては、前記収納部は装脱可能な収納カセットを有することが好ましい。
【０００９】
本発明の一態様による貨幣処理機においては、前記収納部は複数の収納カセットを有することが好ましい。
【００１０】
本発明の一態様による貨幣処理機においては、前記所定金額は前記複数の収納カセットの各々に対して設定されており、前記制御部は、複数の収納カセットの各々について、収納されている貨幣の金額が、対応する所定金額を超えないように貨幣の収納を制御することが好ましい。
【００１１】
本発明の一態様による貨幣処理機においては、前記制御部は、前記複数の収納カセットに収納されている貨幣の合計金額が前記所定金額を超えないように貨幣の収納を制御することが好ましい。
【００１２】
本発明の一態様による貨幣処理機においては、前記収納部は、装脱可能な収納カセットを含む複数の収納カセットを有し、前記制御部は、当該貨幣処理機に装着されていない収納カセットに収納されている貨幣の金額を含む合計金額を管理していることが好ましい。
【００１３】
本発明の一態様による貨幣処理機においては、前記収納部は、前記識別部により識別されていない有価媒体を収納することができることが好ましい。
【００１４】
本発明の一態様による貨幣処理機においては、前記有価媒体に関する情報が入力される入力部をさらに備え、前記制御部は、前記識別部による貨幣の識別結果と、前記入力部を介して入力された情報とを用いて、前記合計金額を算出することが好ましい。
【００１５】
本発明の一態様による貨幣処理機においては、前記制御部は、前記収納部に収納されている貨幣の物理量が所定量を超えないように貨幣の収納を制御することが好ましい。
【００１６】
本発明の一態様による貨幣処理機においては、前記識別部により識別された貨幣を保留する保留部をさらに備え、前記制御部は、前記合計金額が前記所定金額に達している場合、又は前記合計金額と前記所定金額との差額が所定値以下になった場合、又は前記保留部に保留される貨幣を前記収納部に収納すると前記合計金額が前記所定金額を超える場合、前記収納部による貨幣の収納を停止し、前記識別部により識別された貨幣を前記保留部から返却するように制御することが好ましい。
【００１７】
本発明の一態様による貨幣処理機においては、前記制御部は、前記収納部に収納されている貨幣の物理量が所定量に達した場合、又は前記物理量と前記所定量との差が所定以下になった場合、前記収納部による貨幣の収納を停止し、前記識別部により識別された貨幣を前記保留部から返却するように制御することが好ましい。
【００１８】
本発明の一態様による貨幣処理機においては、前記合計金額と前記所定金額との差額を表示する表示部をさらに備えることが好ましい。
【発明の効果】
【００１９】
本発明の貨幣処理機によれば、収納カセット内の貨幣の合計金額に基づいて収納カセットのフル判定を行うことができる。このことにより、収納カセット搬送に対する保険料を実運用に合わせ、収納カセットの回収コストを削減することができる。また、収納カセットが盗難にあった際の被害額を抑制できる。また、収納カセットを回収する回収担当者の精神的負担を軽減することができる。
【図面の簡単な説明】
【００２０】
【図１】本発明の第１の実施形態による貨幣処理機を備えた貨幣処理システムの構成図である。
【図２】同第１の実施形態による貨幣処理機の斜視図である。
【図３】同第１の実施形態による貨幣処理機の側方断面図である。
【図４】同第１の実施形態による貨幣処理機の表示入力部の構成図である。
【図５】同第１の実施形態による貨幣処理機の制御ブロック図である。
【図６】同第１の実施形態による入金処理を説明するフローチャートである。
【図７】同第１の実施形態による紙幣の入金処理を説明するフローチャートである。
【図８】同第１の実施形態による有価媒体の入金処理を説明するフローチャートである。
【図９】同第１の実施形態によるカセット回収処理を説明するフローチャートである。
【図１０】本発明の第２の実施形態によるカセット交換処理を説明するフローチャートである。
【図１１】本発明の第３の実施形態による貨幣処理機の斜視図である。
【図１２】同第３の実施形態による貨幣処理機の斜視図である。
【図１３】同第３の実施形態による紙幣処理装置の側方断面図である。
【図１４】同第３の実施形態による硬貨処理装置の側方断面図である。
【発明を実施するための形態】
【００２１】
以下、本発明の実施の形態を図面に基づいて説明する。
（第１の実施形態）図１は、本発明の第１の実施形態による貨幣処理機を備えた貨幣処理システムの構成を示す。図１に示すように、貨幣処理システムは、貨幣の入金処理を行う貨幣処理機１と、貨幣処理機１とは別に設けられ、当該貨幣処理機１に通信接続された店舗サーバー１００と、店舗サーバー１００に通信接続された本店サーバー１１０と、貨幣処理機１とは別に設けられ、当該貨幣処理機１に通信接続された現金センター２００とを備えている。貨幣処理機１は、スーパーマーケットやコンビニエンスストア等の店舗に設置されており、この貨幣処理機１は、店舗の売上金を識別計数して入金するような入金処理を行うようになっている。
【００２２】
店舗サーバー１００は、貨幣処理機１が設置された店舗に設置されており、この店舗サーバー１００は貨幣処理機１の上位装置に該当するものである。一方、本店サーバー１１０は、各店舗とは別の場所（例えば、本店）に設置されており、各店舗からの情報を集約するようになっている。
【００２３】
また、本実施形態の貨幣処理システムでは、警備会社が店舗の警備を契約により担当するようになっている。現金センター２００は警備会社の管理権限下にあり、この現金センター２００は、貨幣処理機１が設置された店舗とは別の場所に設置されている。そして、警備会社の作業員は、貨幣処理機１に収納された紙幣や有価媒体を定期的に回収するようになっている。貨幣処理機１に収納された紙幣や有価媒体が警備会社の作業員により回収されると、回収された紙幣や有価媒体は警備会社の作業員により現金センター２００に搬送される。また、警備会社の管理権限下にある現金センター２００は、回収された紙幣および有価媒体の合計金額分の現金に係る情報を現金振り込み情報として銀行３００に送信し、当該金額分の現金を店舗の管理権限下の銀行口座に振り込ませるようになっている。このようにして、店舗側としては、警備会社の作業員により貨幣処理機１から回収された紙幣および有価媒体の合計金額分の現金が、当該店舗の管理権限下の銀行口座に振り込まれるようになる。
【００２４】
以下、貨幣処理機１の構成の詳細について図２乃至図５を用いて説明する。
【００２５】
図２は、図１に示す貨幣処理システムにおける貨幣処理機１の構成を示す斜視図であり、図３は、図２に示す貨幣処理機１の側方断面図である。図２および図３に示すように、貨幣処理機１は、筐体１ａと、筐体１ａに設けられて複数の紙幣Ｐが載置される載置部２０と、載置部２０に載置された複数の紙幣Ｐを１枚ずつ筐体１ａ内に取り込む受入部２５と、受入部２５により取り込まれた紙幣Ｐを搬送する搬送部３０と、搬送部３０で搬送された紙幣Ｐを集積（保留）する集積部（保留部）６０と、搬送部３０に設けられ、当該搬送部３０で搬送される紙幣Ｐの金種や真偽等を識別するとともに計数する識別部４０と、集積部６０に集積された紙幣Ｐを受け入れて収納する収納カセット７０と、を備える。
【００２６】
このうち、受入部２５は、図３に示すように、載置部２０に載置された複数の紙幣Ｐのうち最も下方に位置する紙幣Ｐに駆動力を与えるキッカローラ２６と、紙幣Ｐの繰出方向においてキッカローラ２６の下流側に配置され、キッカローラ２６により蹴り出された紙幣Ｐの筐体１ａの内部への繰り出しを行うフィードローラ２７ａとを有している。また、フィードローラ２７ａに対向してゲートローラ（逆転ローラ）２７ｂが設けられており、フィードローラ２７ａとゲートローラ２７ｂとの間にゲート部が形成されている。
【００２７】
また、図３に示すように、搬送部３０は、紙幣Ｐを搬送する搬送ベルト３１、搬送ローラ３２等で構成されている。また、搬送部３０の最下流部で、集積部６０近傍には、搬送部３０で搬送された紙幣Ｐを１枚毎に羽根３５ａの間で受け止めて集積部６０に整列集積させる羽根車３５が設けられている。
【００２８】
また、図３に示すように、集積部６０は、集積紙幣Ｐを前面側に傾斜させた状態で集積させる形状となっており、搬送部３０から送られた紙幣Ｐを支持部６４で支持させることで、前面側に傾斜させた立位状態で紙幣Ｐを集積するように構成されている。なお、本願で前面側とは、操作者が紙幣Ｐを載置部２０に載置したり、集積部６０から紙幣Ｐを取り出したりする側のことを意味し、図３の右側のことを意味している。他方、本願で後面側とは、前面側と反対側を意味し、図３の左側のことを意味している。
【００２９】
また、図２および図３に示すように、集積部６０の前面側には、集積された紙幣Ｐを外部から取り出すための前面開口を開閉するための前面シャッター部６２が設けられている。この前面シャッター部６２は、後述する制御部５０によって、少なくとも挟持搬送機構１０（後述）によって紙幣Ｐを収納カセット７０へ搬送しているときに開放不可能となるように制御されている。
【００３０】
また、図３に示すように、集積部６０には、当該集積部６０に集積された紙幣Ｐの表面を挟持し、その表面と平行な方向へ当該紙幣Ｐを搬送することで収納カセット７０へ紙幣Ｐを収納させる挟持搬送機構１０が設けられている。より具体的には、挟持搬送機構１０は、集積部６０に集積された複数の紙幣Ｐのうち最も前面側に位置する紙幣Ｐの表面と最も後面側に位置する紙幣Ｐの表面を挟持し、当該複数の紙幣Ｐを一括して収納カセット７０へ搬送することができるように構成されている（図３の矢印Ａ１参照）。
【００３１】
また、図３に示すように、収納カセット７０には、挟持搬送機構１０で搬送される紙幣Ｐを取り込むためのスリット状のスリット開口部７１と、当該スリット開口部７１を開閉するためのスリットシャッター部７２が設けられている。なお、収納カセット７０は図２に示す収納筐体７５内に取り出し自在に収納されている。また、図２に示すように、収納カセット７０は、扉７７を開けて、貨幣処理機１への装填及び取り外しが可能である。
【００３２】
より詳細には、扉７７には把手７６および電磁キー（図示せず）が設けられており、制御的に電磁キーを解錠し、把手７６を回して扉７７を開くようになっている。収納カセット７０の取り外しは、警備会社の作業員により行われる。
【００３３】
なお、制御的に電磁キーを解錠し、把手７６を回して扉７７を開くという動作は、警備会社の作業員のみならず店舗の店員が行うことができるように設定されていてもよい。警備会社の作業員により収納筐体７５から取り外された収納カセット７０は、現金センター２００へ移送されるようになっている。
【００３４】
貨幣処理機１に紙幣を投入した場合の紙幣の流れや、外部から投入される有価媒体の流れを簡単に説明する。貨幣処理機１に紙幣を投入する際に、載置部２０に複数の紙幣が載置されると、受入部２５によって紙幣が１枚ずつ機体内に取り込まれ、識別部４０によって識別された後、集積部６０やリジェクト部６５へ送られる。その後、集積部６０に集積された紙幣は収納カセット７０に収納される。また、貨幣処理機１に小切手や商品券等の有価媒体を投入する際には、集積部６０の前面シャッター部６２が開放され、有価媒体が入った封筒を集積部６０に直接セットすると、有価媒体が入った封筒は収納カセット７０に収納されるようになる。
【００３５】
このように、本実施の形態の貨幣処理機１では、収納カセット７０には紙幣Ｐおよび有価媒体が混合状態で収納されるようになっている。
【００３６】
また、図２に示すように、貨幣処理機１の筐体１ａには、所定の情報を表示する機能とデータ入力を可能とする機能を有する表示入力部５が設けられている。このような表示入力部５の具体的構成を図４に示す。図４に示すように、表示入力部５は、紙幣Ｐの計数結果等を表示するモニタ５ａと、操作者が様々な指令を入力するための複数の入力キー５ｂとから構成されている。
【００３７】
モニタ５ａには、例えば、収納カセット７０に収納されている貨幣（有価媒体）の合計金額、収納カセット７０に収納可能な貨幣の金額（収納上限額）、現在収納されている貨幣の合計金額と上限額との差額等が表示されるようになっている。
【００３８】
図４に示すように、複数の入力キー５ｂは、メニューキー、交換キー、クリアキー、確定キー、上下左右各方向の矢印キー、シフトキー、モードキー、締めキー、回収キー、スタート／ストップキー等から構成されている。
【００３９】
また、図２に示すように、貨幣処理機１の筐体１ａには、紙幣Ｐの計数結果等を印字するプリンター６や、後述する制御部５０に対して操作者が様々な入力を行うためのテンキー７、操作者のＩＤ情報を得るために当該操作者が保持するＩＤカードの読み取りを行うカード読取部８がそれぞれ設けられている。
【００４０】
また、図３に示すように、搬送部３０には、異常時に、集積部６０に搬送されない紙幣Ｐが搬送されるリジェクト部６５が設けられている。
【００４１】
ここで言う異常とは、識別異常および搬送異常を意味している。識別異常とは、識別部４０で識別された情報が制御部５０に予め記憶された情報と一致しない場合のことを意味している。そして、このような識別異常としては、例えば、識別された紙幣Ｐが予定していた種類と異なる種類の紙幣Ｐであると識別されたときや、そもそも紙幣Ｐの種類を識別することができなかったときなどを挙げることができる。
【００４２】
また、搬送異常とは、搬送部３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００４３】
本実施の形態の貨幣処理機１には、図５に示すような制御部５０が設けられており、この制御部５０が、貨幣処理機１の各構成要素を制御するようになっている。図５に示すように、制御部５０には、受入部２５、搬送部３０、識別部４０、前面シャッター部６２、挟持搬送機構１０、スリットシャッター部７２、表示入力部５、プリンター６、テンキー７、カード読取部８等がそれぞれ接続されている。そして、識別部４０により識別計数された紙幣Ｐの識別計数情報は制御部５０に送られるようになっている。また、表示入力部５の各入力キー５ｂやテンキー７により入力された操作者からの様々な指令は制御部５０に送られるようになっている。また、カード読取部８により読み取られた操作者のＩＤ情報等も制御部５０に送られるようになっている。
【００４４】
また、制御部５０は、受入部２５、搬送部３０、前面シャッター部６２、挟持搬送機構１０、スリットシャッター部７２、表示入力部５、プリンター６等の各構成要素に制御信号を送り、これらの構成要素の制御を行うようになっている。
【００４５】
また、図５に示すように、制御部５０には記憶部５４が接続されている。記憶部５４には、貨幣処理機１を特定する装置ＩＤや同装置を利用可能な操作者ＩＤ等の事前に設定される情報や、紙幣Ｐの計数結果、収納カセット７０の収納上限額、現在の収納金額等が記憶されるようになっている。収納カセット７０の収納上限額は任意に設定でき、例えば、収納カセット７０の回収・搬送時の盗難等のリスクに対して加入する保険の保険料が収納カセット７０の収納金額に応じて決定される場合、所望の保険料に対応した収納上限額が設定される。また、この収納上限額は、盗難にあった際の被害額（損失額）を考慮して設定されてもよいし、回収を行う警備会社の作業員の資質、経験、精神的負担等に応じて設定されてもよい。なお、この収納上限額は、貨幣処理機１の設置時や運用状況が変更になった時などに、所定の権限を有する管理者の指示に基づいて設定される。
【００４６】
また、図５に示すように、制御部５０にはインターフェース部５６が接続されており、このインターフェース部５６を介して制御部５０は店舗サーバー１００や現金センター２００等の外部装置と信号の送受信を行うことができるようになっている。
【００４７】
次に、このような構成からなる貨幣処理機１の動作について説明する。まず、貨幣処理機１における入金処理の全体の流れについて図６に示すフローチャートを用いて説明する。まず、制御部５０において、計数入金処理を行うか否かの確認が行われる（ＳＴＥＰ１０１）。具体的には、操作者によって、紙幣Ｐの入金処理を行う旨の指令が表示入力部５によって制御部５０に入力されると、後述する計数入金処理が行われるようになる（ＳＴＥＰ１０２）。
【００４８】
また、制御部５０において、有価媒体入金処理を行うか否かの確認が行われる（ＳＴＥＰ１０３）。具体的には、操作者によって、紙幣Ｐ以外の有価媒体の入金処理を行う旨の指令が表示入力部５によって制御部５０に入力されると、後述する有価媒体入金処理が行われるようになる（ＳＴＥＰ１０４）。
【００４９】
そして、計数入金処理や有価媒体入金処理が行われ、取引が終了すると（ＳＴＥＰ１０５の「ＹＥＳ」）、プリンター６によりジャーナル（控）が印字される（ＳＴＥＰ１０６）。その後、入金データが制御部５０からインターフェース部５６を介して店舗サーバー１００や現金センター２００に送信されるようになる（ＳＴＥＰ１０７）。
【００５０】
次に、貨幣処理機１に投入された紙幣Ｐを識別計数するとともに収納カセット７０に収納させる動作について図７に示すフローチャートを用いて説明する。なお、以下に示す動作は、明示しない限り制御部５０から各部位へ送信される信号に基づいて行われる。
【００５１】
まず、操作者によって、紙幣Ｐの入金処理を行う旨の指令が表示入力部５を介して制御部５０に入力される。より具体的には、操作者は、表示入力部５によって「計数入金」のコマンドを選択する（ＳＴＥＰ１）。この際に、表示入力部５またはカード読取部８によって操作者のＩＤ情報も制御部５０に入力する。そして、このような信号を制御部５０が受け取ると、当該制御部５０によって、前面シャッター部６２は開放不可能となるように制御される。
【００５２】
次に、操作者によって、載置部２０に複数の紙幣Ｐが載置されると（ＳＴＥＰ２の「ＹＥＳ」）、受入部２５によって、載置部２０に載置された複数の紙幣Ｐが一枚ずつ機内に取り込まれる（ＳＴＥＰ３）。このとき、キッカローラ２６によって載置部２０に載置された複数の紙幣Ｐのうち最も下方に位置する紙幣Ｐが蹴り出されるとともに、フィードローラ２７ａによって繰り出され、ゲートローラ２７ｂの作用により紙幣Ｐが１枚ずつ繰り出される。
【００５３】
次に、搬送部３０によって、受入部２５で取り込まれた紙幣Ｐが搬送される。このとき、搬送部３０に設けられた識別部４０によって、搬送部３０で搬送される紙幣Ｐが識別計数される（ＳＴＥＰ４）。
【００５４】
このように搬送部３０で紙幣Ｐが搬送されているときに識別異常や搬送異常が発生した場合には（ＳＴＥＰ５の「ＹＥＳ」）、当該紙幣Ｐはリジェクト部６５へと搬送される（ＳＴＥＰ６）。他方、このような識別異常や搬送異常が発生しない場合には（ＳＴＥＰ５の「ＮＯ」）、搬送されている紙幣Ｐは集積部６０に搬送される（ＳＴＥＰ７）。
【００５５】
このように集積部６０へ紙幣Ｐが搬送される際には、当該紙幣Ｐは、羽根車３５の羽根３５ａの間で受け止められて集積部６０に整列集積される。そして、羽根車３５によって搬送された紙幣Ｐは、集積部６０内で、前面側に傾斜させた立位状態で集積されることとなる。表示入力部５には、集積部６０内に集積された紙幣Ｐの合計金額が表示されるようになる。また、識別結果（金種別の枚数や合計金額等）が操作者のＩＤ情報および処理日時情報と合わせて記憶部５４に記憶される。このようにして、載置部２０に載置された複数の紙幣Ｐの全てが集積部６０に搬送されて、載置部２０に紙幣Ｐが存在しなくなる。
【００５６】
続いて、集積部６０に集積された紙幣Ｐが収納カセット７０に収納されることで、収納カセット７０内の収納金額が収納上限額を超えるか否かが判定される（ＳＴＥＰ９）。具体的には、既に収納カセット７０に収納されている紙幣及び有価媒体の金額（現時点の収納金額）と、集積部６０に集積されている紙幣Ｐの金額との合計金額が、記憶部５４に記憶されている収納カセット７０の収納上限額を超えるか否かが判定される。
【００５７】
合計金額が収納上限額を超えない場合は（ＳＴＥＰ９の「ＮＯ」）、集積部６０に集積された紙幣Ｐの金額に対する承認指示を求める表示が表示入力部５に表示される（ＳＴＥＰ１０）。そして、ＳＴＥＰ１２の「ＹＥＳ」に示すように、操作者により承認指示が表示入力部５から入力されると（具体的には、操作者が表示入力部５の確定キーを押下すると）、集積部６０に集積された複数の紙幣Ｐが、挟持搬送機構１０によって、スリット開口部７１を通過して、収納カセット７０内に収納される（ＳＴＥＰ１３）（図３の矢印Ａ１参照）。なおこのとき、スリットシャッター部７２が前面側に移動されており、スリット状のスリット開口部７１が開状態となっている。他方、紙幣Ｐが収納カセット７０内に収納されるとき以外は、スリットシャッター部７２は後面側に移動されており、スリット開口部７１は閉状態となっている。また、紙幣Ｐが収納カセット７０内に収納されると、紙幣Ｐの金額が収納カセット７０の収納金額に加算され、収納カセット７０の収納額の情報が更新される（ＳＴＥＰ１４）。
【００５８】
一方、既に収納カセット７０に収納されている紙幣及び有価媒体の金額と、集積部６０に集積されている紙幣Ｐの金額との合計金額が収納上限額を超える場合は（ＳＴＥＰ９の「ＹＥＳ」）、収納カセット７０に紙幣Ｐを収納できないことが表示入力部５に表示される（ＳＴＥＰ１１）。例えば、『収納上限を超える為、収納できません。紙幣を取り出して下さい。』といったメッセージが表示される。続いて、前面シャッター部６２が開放されて集積紙幣Ｐが取り出し可能となる（ＳＴＥＰ１５）（図３の矢印Ａ２参照）。
【００５９】
また、合計金額が収納上限額を超えない場合でも（ＳＴＥＰ９の「ＮＯ」）、操作者が合計金額について承認できない場合には（ＳＴＥＰ１２の「ＮＯ」）、返却指示が表示入力部５から入力されることにより前面シャッター部６２が開放されて集積紙幣Ｐが取り出し可能となる（ＳＴＥＰ１５）（図３の矢印Ａ２参照）。
【００６０】
そして、集積部６０に集積された紙幣Ｐが操作者により回収されると（ＳＴＥＰ１６の「ＹＥＳ」）、前面シャッター部６２が閉じられて（ＳＴＥＰ１７）、処理が終了される。
【００６１】
なお、リジェクト部６５に紙幣Ｐが存在する場合には、操作者が、その紙幣Ｐを再度、載置部２０に載置して、前述と同様の工程が繰り返されて、全ての紙幣Ｐが集積部６０へ搬送されるようにする。しかしながら、何度やってもリジェクト部６５に搬送される紙幣Ｐについては、受付できない紙幣Ｐとして判断されて収納対象から除かれる。
【００６２】
次に、貨幣処理機１の識別部４０で識別できない損券・損貨や、商品券、小切手等の現金以外の有価媒体を、貨幣処理機１の収納カセット７０に収納させる動作について図８に示すフローチャートを用いて説明する。なお、以下に示す動作は、明示しない限り制御部５０から各部位へ送信される信号に基づいて行われる。
【００６３】
まず、操作者によって、紙幣Ｐ以外の有価媒体の入金処理を行う旨の指令を表示入力部５によって制御部５０に入力する。より具体的には、操作者は、表示入力部５によって「有価媒体入金（現外入金）」のコマンドを選択する（ＳＴＥＰ２１）。この際に、表示入力部５によって操作者のＩＤ情報も制御部５０に入力する。このときに、入力されたデータは、手入力データとして記憶部５４に記憶される。
【００６４】
そして、操作者は、表示入力部５により、有価媒体に係る情報、具体的には有価媒体の金額等を制御部５０に入力し、確定キーを押下する（ＳＴＥＰ２２）。
【００６５】
続いて、有価媒体が収納カセット７０に収納されることで、収納カセット７０内の収納金額が収納上限額を超えるか否かが判定される（ＳＴＥＰ２３）。具体的には、既に収納カセット７０に収納されている紙幣及び有価媒体の金額（現時点の収納金額）と、操作者により入力された有価媒体の金額との合計金額が、記憶部５４に記憶されている収納カセット７０の収納上限額を超えるか否かが判定される。
【００６６】
合計金額が収納上限額を超えない場合は（ＳＴＥＰ２３の「ＮＯ」）、プリンター６により、操作者によって制御部５０に入力された有価媒体に係る情報がジャーナルに印字される（ＳＴＥＰ２４）。また、このときに、当該制御部５０によって、前面シャッター部６２が開放され（ＳＴＥＰ２５）、有価媒体が入った封筒を集積部６０に入れることができるようになる。
【００６７】
その後、操作者が、有価媒体が入った封筒と、有価媒体の情報が印字されたジャーナルを集積部６０にセットし、確定キーを押下すると（ＳＴＥＰ２６）、前面シャッター部６２が閉止する（ＳＴＥＰ２７）。そして、集積部６０にセットされた、有価媒体が入った封筒およびジャーナルが、挟持搬送機構１０によって、スリット開口部７１を通過して、収納カセット７０内に収納される（ＳＴＥＰ２８）（図３の矢印Ａ１参照）。また、有価媒体が入った封筒が収納カセット７０内に収納されると、有価媒体の金額が収納カセット７０の収納金額に加算され、収納カセット７０の収納金額の情報が更新される（ＳＴＥＰ２９）。このようにして、有価媒体を収納カセット７０に収納させる動作が終了する。
【００６８】
一方、既に収納カセット７０に収納されている紙幣及び有価媒体の金額と、操作者により入力された有価媒体の金額との合計金額が収納上限額を超える場合は（ＳＴＥＰ２３の「ＹＥＳ」）、収納カセット７０に有価媒体を収納できないことが表示入力部５に表示され（ＳＴＥＰ３０）、操作者から入力された情報がキャンセル（消去）される（ＳＴＥＰ３１）。有価媒体の収納処理を終える場合は（ＳＴＥＰ３２の「ＮＯ」）、有価媒体が別途保管されて、処理が終了される。また、有価媒体の収納処理を続ける場合は（ＳＴＥＰ３２の「ＹＥＳ」）、ＳＴＥＰ２２に戻る。この時、有価媒体の金額を数え直したり、合計金額が収納上限額を超えないように、有価媒体の一部を別途保管し、残りの有価媒体についての情報を入力するようにしたりして、情報の再入力を行ってもよい（ＳＴＥＰ３３）。
【００６９】
次に、警備会社の作業員によって行われる貨幣処理機１の収納カセット７０の回収動作について図９に示すフローチャートを用いて説明する。
【００７０】
作業員のＩＤカードが貨幣処理機１のカード読取部８によって読み取られると（ＳＴＥＰ４１）、作業員は、表示入力部５の回収キーを押下する（ＳＴＥＰ４２）。回収キーが押下されると、制御部５０が扉７７の電磁キーを解錠する（ＳＴＥＰ４３）。
【００７１】
そして、作業員は、把手７６を回して扉７７を開き、収納カセット７０を取り外し、交換用の収納カセットを装填する（ＳＴＥＰ４４）。作業員が扉７７を閉めると、電磁キーが施錠される（ＳＴＥＰ４５）。
【００７２】
その後、プリンター６が、回収された収納カセット７０に収納されている紙幣及び有価媒体に関する情報（種類別の枚数や金額、合計金額等）、回収日時、作業員のＩＤ情報等の回収処理に係る情報を、ジャーナルに印字して出力する（ＳＴＥＰ４６）。そして、記憶部５４に記憶されている、回収された収納カセット７０に収納されている紙幣及び有価媒体についての情報がクリアされる（ＳＴＥＰ４７）。このようにして、収納カセット７０の回収処理が終了する。
【００７３】
本実施形態によれば、収納カセット７０内の貨幣（有価媒体）の合計額が、予め設定されている収納上限額を超えないように、貨幣の収納可否が判定される。収納カセット７０には収納上限額を超える貨幣及び有価媒体が収納されず、回収・搬送される収納カセット７０の収納額は収納上限額以下となる。収納上限額を、加入する保険の保険料に応じた金額に設定することで、保険料が実運用に合ったものとなり、収納カセット７０の回収コストを削減することができる。また、収納上限額を設定することで、収納カセット７０が盗難にあった際の被害額を抑制できる。また、収納上限額までしか貨幣（有価媒体）が収納されないため、収納カセット７０を回収する作業員の精神的負担を軽減することができる。
【００７４】
上記実施形態において、貨幣処理機１に報知部を設け、収納カセット７０の収納額が収納上限額に近付いた場合に、金額ニアフルを報知するようにしてもよい。例えば、収納カセット７０の収納額と収納上限額との差が所定額以下になった場合、報知部が金額ニアフルを報知する。また、表示入力部５のモニタ５ａに収納カセット７０の収納額と収納上限額との差を表示するようにしてもよい。
【００７５】
また、上記実施形態において、貨幣処理機１は、収納カセット７０の収納額が収納上限額を超えないように貨幣の収納可否を判定していたが、さらに、収納カセット７０に収納されている紙幣の枚数が収納上限枚数を超えないように貨幣の収納可否を判定してもよい。これにより、低額紙幣が多く入金される場合であっても、収納カセット７０の収納容量以上の紙幣が収納されることを防止することができる。また、この場合、有価媒体が入った封筒については、封筒１つを紙幣複数枚（例えば５０枚）と換算してもよい。さらに、収納カセット７０の収納枚数が収納上限枚数に近付いた場合、報知部が枚数ニアフルを報知するようにしてもよい。例えば、収納カセット７０の収納枚数と収納上限枚数との差が所定枚数以下になった場合、報知部が枚数ニアフルを報知する。また、表示入力部５のモニタ５ａに収納カセット７０の収納枚数と収納上限枚数との差を表示するようにしてもよい。
【００７６】
また、収納カセット７０内の貨幣（有価媒体）の収納状況を検出するセンサを設け、このセンサの検出結果に基づいて、貨幣の収納可否や枚数ニアフルを判定してもよい。具体的には、センサが、収納カセット７０に収納されている貨幣の高さ（収納状態の高さ）を検出し、この高さに基づいて貨幣の収納可否や枚数ニアフルを判定する。紙幣は、その状態（新券、旧券、損券等）により収納時の高さが異なり、有価媒体が入った封筒の厚みも一定でない。そのため、センサにより収納カセット７０内の貨幣（有価媒体）の収納状況を検出することで、収納カセット７０に貨幣を収納できるスペースが残っているか否かを正確に判定することができる。センサにより検出された収納カセット７０内の貨幣の収納状況を表示入力部５のモニタ５ａに表示して、ユーザが収納状況を把握できるようにしてもよい。例えば、収納されている貨幣の高さが、収納カセット７０の貨幣収納領域の何％に達しているかをモニタ５ａに表示する。
【００７７】
このように、収納カセット７０内の貨幣（有価媒体）の合計額が、予め設定されている収納上限額を超えないように貨幣の収納可否を判定することと、収納カセット７０の収納枚数や、センサにより検出された収納カセット７０内の貨幣の収納状況（収納状態の高さ）等の物理量が所定値を超えないように貨幣の収納可否を判定することを組み合わせることで、収納カセットの回収コストを削減し、かつ収納カセットに許容容量以上の貨幣が収納されることを防止することができる。
【００７８】
また、上記実施形態において、収納カセット７０の収納額や収納枚数が上限値に達している場合、又は上限値との差が所定以下（金額ニアフル、枚数ニアフル）の場合、紙幣の計数機能のみを使用できるようにしてもよい。この場合は、集積部６０に集積された計数済み紙幣は収納されることなく、返却される。
【００７９】
（第２の実施形態）上記第１の実施形態では１つの収納カセット７０を使用していたが、複数の収納カセット７０を交換しながら使用してもよい。複数の収納カセット７０にはそれぞれ収納カセット７０を特定するカセットＩＤが付与されており、貨幣処理機１は、装填された収納カセット７０のカセットＩＤを読み取ることができるようになっている。例えば、各収納カセット７０にはカセットＩＤを示すバーコードが貼付されており、貨幣処理機１に設けられたバーコードリーダ（図示せず）が、収納カセット７０の装填時にバーコードを読み取ってカセットＩＤを取得する。
【００８０】
制御部５０は、各収納カセット７０に収納されている貨幣（有価媒体）の金額を記憶部５４に格納する。また、制御部５０は、複数の収納カセット７０の収納額の合計金額を算出し、記憶部５４に格納する。また、記憶部５４は、１つの収納カセット７０の収納額の上限（個別収納上限額）、及び使用されている複数の収納カセット７０の合計収納額の上限（合計収納上限額）を記憶している。
【００８１】
制御部５０は、個々の収納カセット７０の収納額が個別収納上限額を超えないように貨幣の収納可否を判定してもよいし、複数の収納カセット７０の合計収納額が合計収納上限額を超えないように貨幣の収納可否を判定してもよいし、これらを組み合わせてもよい。
【００８２】
個々の収納カセット７０の収納額が個別収納上限額を超えないように貨幣の収納可否を判定する方法は、図７、図８のフローチャートに示す方法と同様である。また、複数の収納カセット７０の合計収納額が合計収納上限額を超えないように貨幣の収納可否を判定する方法も、図７のＳＴＥＰ９、図８のＳＴＥＰ２３において、複数の収納カセット７０に収納されている紙幣及び有価媒体の合計金額と、集積部６０に集積されている紙幣Ｐの金額又は操作者により入力された有価媒体の金額との合計金額が、記憶部５４に記憶されている合計収納上限額を超えるか否かが判定されること以外は、図７、図８のフローチャートに示す方法と同様である。
【００８３】
次に、貨幣処理機１に装填される収納カセット７０の交換処理について図１０に示すフローチャートを用いて説明する。収納カセット７０の交換は店舗の従業員（例えば会計責任者）により行われる。
【００８４】
まず、従業員のＩＤカードが貨幣処理機１のカード読取部８によって読み取られると（ＳＴＥＰ５１）、従業員は、表示入力部５の交換キーを押下する（ＳＴＥＰ５２）。交換キーが押下されると、制御部５０が扉７７の電磁キーを解錠する（ＳＴＥＰ５３）。
【００８５】
そして、従業員は、把手７６を回して扉７７を開き、収納カセット７０を取り外し、別の収納カセットを、そのバーコードを貨幣処理機１のバーコード読取部に読み取らせてから装填する（ＳＴＥＰ５４、ＳＴＥＰ５５）。作業員が扉７７を閉めると、電磁キーが施錠される（ＳＴＥＰ５６）。このようにして、収納カセット７０の交換処理が終了する。なお、収納カセット７０の交換処理についての情報（交換を行った従業員、交換日時、交換した収納カセットのカセットＩＤ等）は記憶部５４に記憶され、ユーザの指示に基づいてジャーナルに印字出力することもできる。
【００８６】
収納カセット７０の交換は、例えば、貨幣処理機１に装填されている収納カセット７０が金額ニアフルになった時や枚数ニアフルになった時に行われる。また、一旦取り外した収納カセット７０を再度装填してもよい。記憶部５４には各収納カセット７０の収納額が記憶されているため、収納カセット７０が再装填されると、当該収納カセット７０の収納額に、その後に入金される貨幣の金額が加算されていく。
【００８７】
また、警備会社の作業員により交換済みの収納カセット７０や装填中の収納カセット７０が回収されたときには、記憶部５４に記憶されている各収納カセットの収納額やその合計額がクリアされる。
【００８８】
このように、複数の収納カセットを交換しながら使用することで、１つの収納カセットがフル（金額フル、枚数フル）やニアフル（金額ニアフル、枚数ニアフル）になった場合でも、警備会社による回収を待たずに、別の収納カセットを使って入金を行うことができる。また、個別収納上限額や合計収納上限額を、加入する保険の保険料に応じた金額に設定することで、保険料が実運用に合ったものとなり、複数の収納カセット７０の回収コストを削減することができる。また、個別収納上限額や合計収納上限額を設定することで、収納カセット７０が盗難にあった際の被害額を抑制できる。また、収納カセット７０を回収する作業員は、個別収納上限額又は合計収納上限額までしか貨幣（有価媒体）を回収・運搬しないため、精神的負担が軽減される。
【００８９】
（第３の実施形態）上記第１及び第２の実施形態では装填される収納カセットが１つの貨幣処理機を例に説明を行ったが、装填される収納カセットは２つ以上でもよい。また、上記第１及び第２の実施形態の貨幣処理機は貨幣の出金機能を有していなかったが、貨幣の出金機能が備わっていてもよい。
【００９０】
図１１は、収納カセットが２つ装填され、かつ貨幣の出金機能を有する貨幣処理機の斜視図である。図１１に示すように、貨幣処理機４１０は略直方体形状の筐体４１１を備えており、この筐体４１１には、貨幣処理機４１０を前方から見て上部右側に配置された紙幣処理装置４２０と、貨幣処理機４１０を前方から見て上部左側に配置された硬貨処理装置４３０とがそれぞれ設けられている。また、貨幣処理機４１０の筐体４１１において、紙幣処理装置４２０および硬貨処理装置４３０の下方には、硬貨および紙幣の収納を行う貨幣収納部４４０が設けられている。
【００９１】
紙幣処理装置４２０、硬貨処理装置４３０および貨幣収納部４４０の各構成要素について説明する。
【００９２】
まず、紙幣処理装置４２０の構成について図１１および図１３を用いて説明する。図１１および図１３に示すように、紙幣処理装置４２０は、当該紙幣処理装置４２０内への紙幣の取り込みを行う紙幣投入口４２１と、紙幣処理装置４２０内に取り込まれた紙幣のうち偽札や識別不能な紙幣等のリジェクトを行う紙幣リジェクト口４２２と、紙幣処理装置４２０内に取り込まれた紙幣のうち貨幣収納部４４０に収納されない紙幣を紙幣処理装置４２０の外部に返却する紙幣返却口４２３とを備えている。また、図１３に示すように、紙幣処理装置４２０の内部には、紙幣投入口４２１に投入された紙幣を紙幣処理装置４２０内で搬送する搬送部４２５が設けられている。
【００９３】
紙幣投入口４２１は、操作者により１または束状態の複数の紙幣が短手方向に一括して投入されるよう構成されている。図１１に示すように、この紙幣投入口４２１には紙幣ステージ４２８が配設されている。紙幣ステージ４２８は、待機時には上昇位置にありこの際には操作者は紙幣投入口４２１に紙幣を投入することができず、一方、紙幣の処理時には下降して操作者が紙幣投入口４２１に紙幣を投入することができるように構成されている。また、図１３に示すように、紙幣投入口４２１は搬送部４２５に接続されており、紙幣投入口４２１に投入された１または束状態の複数の紙幣は、１枚ずつ搬送部４２５で搬送されるようになっている。また、紙幣リジェクト口４２２は、図１３に示すように搬送部４２５に接続されており、紙幣投入口４２１により紙幣処理装置４２０内に取り込まれた紙幣のうち後述する識別部４２６によりリジェクトすべき紙幣であると識別された紙幣や識別部４２６で識別することができなかった紙幣が搬送部４２５から送られるようになっている。操作者はこの紙幣リジェクト口４２２に送られた紙幣を取り出すことができるようになっている。
【００９４】
紙幣返却口４２３には、図１３に示すように、搬送部４２５に接続された紙幣保留部４２９が設けられている。この紙幣保留部４２９には、搬送部４２５から紙幣が送られるようになっている。また、紙幣返却口４２３には開閉可能な扉４２４が設けられている。紙幣保留部４２９にある紙幣を返却する場合には、紙幣保留部４２９の装置前面側の壁面が開いて、操作者は扉４２４から紙幣を取り出すことができるようになっている。扉４２４は、紙幣の取り出しが可能な状態になれば、自動的に開くようになっている。なお、後述のように、紙幣保留部４２９内に保留された紙幣は、操作者により紙幣返却口４２３から取り出される代わりに、貨幣収納部４４０内に配置された紙幣収納カセット４４１（後述）に送られる場合もある。
【００９５】
搬送部４２５は、紙幣処理装置４２０の内部で紙幣を１枚ずつ順次搬送する機能を有している。具体的には、搬送部４２５において、紙幣は一対のベルト間に挟まれて搬送路に沿って搬送されるようになっている。また、図１３に示すように、搬送部４２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ図示しない制御部により制御されるようになっている。また、搬送部４２５には、当該搬送部４２５で搬送される紙幣の識別を１枚ずつ行う識別部４２６が介設されている。
【００９６】
この識別部４２６は、搬送部４２５で搬送される紙幣の金種、真偽、正損等を識別するようになっている。識別部４２６による紙幣の識別結果は制御部に送られるようになっている。
【００９７】
紙幣処理装置４２０の内部には、リサイクル式紙幣収納部４２７が複数（例えば３つ）並列に設けられている。ここで、複数のリサイクル式紙幣収納部４２７ａ〜４２７ｃは、概して金種毎に紙幣を一時的に収納するようになっている。図１３に示すように、各リサイクル式紙幣収納部４２７は、正逆両方向に回転可能なドラム４２７ｐをそれぞれ有しており、各ドラム４２７ｐに一対のテープが巻き取られるようになっている。搬送部４２５から各リサイクル式紙幣収納部４２７に送られた紙幣は、この一対のテープの間に挟まれた状態で１枚ずつ順次ドラム４２７ｐにより巻き取られて収納される。また、ドラム４２７ｐを逆転させると、巻き取られた紙幣が１枚ずつ搬送部４２５に送られる。なお、各リサイクル式紙幣収納部４２７は、上述のような、ドラム４２７ｐおよび一対のテープからなり紙幣が一対のテープの間に挟まれた状態でこの一対のテープごとドラム４２７ｐにより巻き取られるような構成に限定されることはなく、他の構成とすることもできる。例えば、各リサイクル式紙幣収納部４２７をスタッカ式（積層式）のものとしてもよい。
【００９８】
紙幣保留部４２９は、前述のように紙幣返却口４２３に設けられており、図１３に示すように搬送部４２５に接続されている。この紙幣保留部４２９には、紙幣投入口４２１に投入された紙幣や、各リサイクル式紙幣収納部４２７に収納された紙幣が搬送部４２５により送られるようになっており、搬送部４２５から送られた紙幣を束状態で複数保留することができるようになっている。図１３に示すように、紙幣保留部４２９には一時保留板４２９ａおよび押さえ部材４２９ｂが設けられている。ここで、紙幣保留部４２９にある紙幣を返却する場合には、前述のように、紙幣保留部４２９の装置前面側の壁面が開いて、操作者は扉４２４から紙幣を取り出すことができるようになっている。扉４２４は、紙幣の取り出しが可能な状態になれば、自動的に開くようになっている。また、紙幣保留部４２９に紙幣が保留される際に、紙幣は一時保留板４２９ａに載せられるようになっており、紙幣保留部４２９にある紙幣を紙幣収納カセット４４１に収納させる際には、この紙幣収納カセット４４１に設けられたステージ４４１ａが紙幣保留部４２９の一時保留板４２９ａに載せられた紙幣を迎えにいき、一時保留板４２９ａが図１３の矢印方向に退避することにより紙幣をステージ４４１ａ上に載せて紙幣保留部４２９から紙幣収納カセット４４１へ下降し、そしてステージ４４１ａ上の紙幣を上から押さえ部材４２９ｂで押さえて紙幣収納カセット４４１へ収納するようになっている。
【００９９】
次に、硬貨処理装置４３０の構成について図１１および図１４を用いて説明する。図１１および図１４に示すように、硬貨処理装置４３０は、当該硬貨処理装置４３０内への硬貨の取り込みを行う硬貨投入口４３１と、硬貨処理装置４３０内に取り込まれた硬貨のうち後述する識別部４３５ａにより識別不能な硬貨等のリジェクトを行ったり、硬貨処理装置４３０内に取り込まれた硬貨のうち貨幣収納部４４０に収納されない硬貨を硬貨処理装置４３０の外部に返却したりする硬貨返却口４３２とを備えている。また、図１４に示すように、硬貨処理装置４３０の内部には、硬貨投入口４３１に投入された硬貨を硬貨処理装置４３０内で搬送する搬送部４３５が設けられている。
【０１００】
硬貨投入口４３１は、操作者により１または複数の硬貨が一括して投入されるよう構成されている。この硬貨投入口４３１に投入された硬貨は、硬貨処理装置４３０の内部に送られるようになっている。硬貨返却口４３２は、搬送部４３５の下流側端部に接続されており、この搬送部４３５から送られた硬貨を貯留するようになっている。操作者はこの硬貨返却口４３２に貯留された硬貨を取り出すことができるようになっている。ここで、硬貨返却口４３２には、前述のように、硬貨処理装置４３０内に取り込まれた硬貨のうち後述する識別部４３５ａにより識別不能な硬貨等が送られるとともに、硬貨処理装置４３０内に取り込まれた硬貨のうち貨幣収納部４４０に収納されない硬貨が送られるようになっており、このような硬貨が硬貨返却口４３２により硬貨処理装置４３０の外部に返却されるようになっている。
【０１０１】
図１４に示すように、硬貨処理装置４３０の内部には硬貨繰出部４３３が設けられている。
【０１０２】
この硬貨繰出部４３３は硬貨投入口４３１に連通しており、操作者により硬貨投入口４３１から投入された硬貨を一時的に貯留するとともに、この貯留された硬貨を後述する搬送部４３５に繰り出すようになっている。
【０１０３】
搬送部４３５は、硬貨処理装置４３０の内部で硬貨を１枚ずつ順次搬送する機能を有している。図１４に示すように、搬送部４３５の上流側端部および下流側端部は、硬貨繰出部４３３および硬貨返却口４３２にそれぞれ接続されている。また、搬送部４３５には、当該搬送部４３５で搬送される硬貨の識別を１枚ずつ行う識別部４３５ａが介設されている。この識別部４３５ａは、搬送部４３５で搬送される硬貨の金種や真偽等を識別するようになっている。識別部４３５ａによる紙幣の識別結果は図示しない制御部に送られるようになっている。
【０１０４】
硬貨処理装置４３０の内部には、筒状の上入れ上出しタイプのリサイクル式硬貨収納部４３４が複数（例えば６つ）並列に設けられており、各リサイクル式硬貨収納部４３４はそれぞれ鉛直方向に延びるようになっている。ここで、複数のリサイクル式硬貨収納部４３４ａ〜４３４ｆは、概して金種毎に硬貨を積層状態で一時的に収納するようになっている。
【０１０５】
図１４に示すように、搬送部４３５の途中部分には、硬貨繰出部４３３から下流側に向かって順に、間隔をおいて７つの選別孔４３６が設けられている。ここで、７つの選別孔４３６のうち最も上流側にある選別孔４３６（オーバーフロー用の選別孔４３６）は、搬送部４３５から後述する横方向搬送部４３８に直接硬貨を送るために設けられている。具体的には、最も上流側にある選別孔４３６は、識別部４３５ａによる硬貨の識別結果が所定の条件を満たしたときに（例えば、識別部４３５ａにより識別された硬貨の金種に対応するリサイクル式硬貨収納部４３４が満杯であったときに）、この硬貨を横方向搬送部４３８上に送るようになっている。また、上流側から２番目〜７番目の選別孔４３６は、それぞれ各リサイクル式硬貨収納部４３４ａ〜４３４ｆに対応するものである。
【０１０６】
図１４に示すように、鉛直方向にそれぞれ延びる各リサイクル式硬貨収納部４３４の上部には、硬貨を一時的に保留する金種別硬貨一時保留部４３９が設けられている。７つの選別孔４３６のうち最も上流側にある選別孔４３６以外の各選別孔４３６を介して搬送部４３５から落下した硬貨は、まず金種別硬貨一時保留部４３９により一時的に保留されるようになっている。そして、この金種別硬貨一時保留部４３９に保留された硬貨が各リサイクル式硬貨収納部４３４に収納されるようになっている。また、この金種別硬貨一時保留部４３９は投出部材を有しており、この投出部材により、金種別硬貨一時保留部４３９に保留された硬貨を後述する横方向搬送部４３８上に投げ出すこともできるようになっている。一方、各リサイクル式硬貨収納部４３４内に収納された硬貨がこのリサイクル式硬貨収納部４３４から取り出される場合には、まずリサイクル式硬貨収納部４３４の下部に設けられたステージ（図示せず）が上方に持ち上げられ、ステージ上の硬貨が金種別硬貨一時保留部４３９に送られ、そしてこの硬貨は金種別硬貨一時保留部４３９の投出部材により横方向搬送部４３８上に投げ出されるようになっている。
【０１０７】
図１４に示すように、硬貨処理装置４３０の内部には硬貨保留部４３７ａが設けられており、この硬貨保留部４３７ａの上部にはシュート４３７ｂが設置されている。ここで、後述する横方向搬送部４３８からシュート４３７ｂの上部に送られた硬貨は、当該シュート４３７ｂ内を通過して硬貨保留部４３７ａに送られるようになっている。硬貨保留部４３７ａに一時的に保留された硬貨は、貨幣収納部４４０内に配置された硬貨収納カセット４４２（後述）に送られるようになっている。
【０１０８】
図１４に示すように、硬貨処理装置４３０の内部において、鉛直方向にそれぞれ延びる各リサイクル式硬貨収納部４３４の近傍には、例えば略水平方向に延びる循環ベルト４３８ａを有する横方向搬送部４３８が設けられている。循環ベルト４３８ａは図１４の時計回りおよび反時計回りの両方に循環移動可能となっている。また、横方向搬送部４３８の一端は硬貨繰出部４３３内に位置しており、横方向搬送部４３８の他端はシュート４３７ｂの上部の近傍に位置している。ここで、循環ベルト４３８ａが図１４における反時計回りに回転したときには、横方向搬送部４３８上にある硬貨は硬貨繰出部４３３に送られるようになっている。一方、循環ベルト４３８ａが図における時計回りに回転したときには、横方向搬送部４３８上にある硬貨はシュート４３７ｂに送られ、最終的には硬貨保留部４３７ａで保留されることとなる。
【０１０９】
次に、貨幣収納部４４０の構成について図１１および図１２を用いて説明する。図１１に示すように、貨幣収納部４４０は、貨幣処理機４１０の筐体４１１の下部に設けられている。この貨幣収納部４４０は、図１３および図１４に示すように、紙幣を収納する紙幣収納カセット４４１、および硬貨を収納する硬貨収納カセット４４２を有している。紙幣収納カセット４４１には、紙幣処理装置４２０の紙幣保留部４２９に保留された紙幣が収納されるようになっている（図１３参照）。硬貨収納カセット４４２には、硬貨処理装置４３０の硬貨保留部４３７ａに保留された硬貨が収納されるようになっている（図１４参照）。そして、図１２に示すように、例えば売上金の回収業務を委託された収集業者の収集特定者によって、貨幣収納部４４０が筐体４１１の前面側へ引き出され、この収集特定者が各カセット４４１、４４２自体を貨幣収納部４４０から回収するようになっている。
【０１１０】
図１２に示すように、紙幣収納カセット４４１の上面にはシャッター４４１ｃが設けられている。紙幣収納カセット４４１が貨幣収納部４４０に収容された状態でこの貨幣収納部４４０が筐体４１１内にセットされた後、特定の処理を行うときに、図示しない駆動装置によって駆動されてシャッター４４１ｃは開いた状態となる。具体的には例えば、紙幣の引渡処理が行われるときにはシャッター４４１ｃが開いた状態となっており、紙幣保留部４２９から紙幣収納カセット４４１に紙幣を送ることができる。引渡処理が終了すると、シャッター４４１ｃは閉じた状態となる。一方、貨幣収納部４４０が筐体４１１から引き出されるときには、シャッター４４１ｃは必ず閉じた状態となる。そして、紙幣収納カセット４４１は錠を備えた図示しない扉を有し、鍵を持つ特定の権限を有する者でないと開くことができないようになっている。
【０１１１】
図１３に示すように、貨幣収納部４４０には貨幣収納部セット検知スイッチＳＷ１が設けられており、この貨幣収納部セット検知スイッチＳＷ１により、貨幣収納部４４０が筐体４１１にセットされたか否かが検知されるようになっている。また、貨幣収納部４４０には紙幣収納カセットセット検知スイッチＳＷ２が設けられており、この紙幣収納カセットセット検知スイッチＳＷ２により、紙幣収納カセット４４１が貨幣収納部４４０にセットされたか否かが検知されるようになっている。
【０１１２】
また、紙幣収納カセット４４１のステージ４４１ａの下面には遮光板４４１ｂが下方に延びるよう取り付けられている。そして、紙幣収納カセット４４１の近傍における貨幣収納部４４０には、ステージ停止センサＰＳ１、紙幣フル検知センサＰＳ２、メカエンドセンサＰＳ３、および残留検知センサＰＳ４が設けられている。これらのセンサＰＳ１、ＰＳ２、ＰＳ３、ＰＳ４は光センサからなる。ここで、紙幣の引渡処理を行う際に、ステージ４４１ａ上に紙幣が載置された後、ステージ停止センサＰＳ１がステージ４４１ａ上にある紙幣により遮光された状態から透光状態となるまでステージ４４１ａが降下することとなる。ここで、ステージ停止センサＰＳ１が遮光状態から透光状態となると、下方に移動しているステージ４４１ａが停止する。この際に、ステージ４４１ａに取り付けられた遮光板４４１ｂにより紙幣フル検知センサＰＳ２が透光状態から遮光状態となった場合には、紙幣収納カセット４４１において紙幣がフル状態であることが検出される。また、ステージ４４１ａが下降して遮光板４４１ｂがメカエンドセンサＰＳ３により検知された場合には、ステージ４４１ａは強制的に停止させられるようになっている。また、ステージ４４１ａが下降して遮光板４４１ｂにより紙幣フル検知センサＰＳ２が透光状態から遮光状態となった場合に、残留検知センサＰＳ４が透光状態であるならば、カセットエンプティ（残留紙幣なし）が検出される。なお、ステージ４４１ａ上に紙幣が残留している場合は、ステージ４４１ａが下降して遮光板４４１ｂにより紙幣フル検知センサＰＳ２が透光状態から遮光状態となった場合に、ステージ４４１ａ上の紙幣により残留検知センサＰＳ４が遮光状態となる。
【０１１３】
図１２に示すように、硬貨収納カセット４４２の上面にはシャッター４４２ａが設けられている。硬貨収納カセット４４２が貨幣収納部４４０に収容された状態でこの貨幣収納部４４０が筐体４１１内にセットされたときに、シャッター４４２ａは開いた状態となる。このため、硬貨の引渡処理が行われるときにはシャッター４４２ａが開いた状態となっており、硬貨保留部４３７ａから硬貨収納カセット４４２に硬貨を送ることができる。一方、貨幣収納部４４０が筐体４１１から引き出されたときには、シャッター４４２ａは閉じた状態となる。そして、硬貨収納カセット４４２は錠を備えた図示しない扉を有し、鍵を持つ特定の権限を有する者でないと開くことができないようになっている。
【０１１４】
図１３に示すように、貨幣収納部４４０には硬貨収納カセットセット検知スイッチＳＷ３が設けられており、この硬貨収納カセットセット検知スイッチＳＷ３により、硬貨収納カセット４４２が貨幣収納部４４０にセットされたか否かが検知されるようになっている。また、硬貨収納カセット４４２の近傍における貨幣収納部４４０には、光センサからなる硬貨フル検知センサＰＳ５が設けられている。ここで、硬貨の引渡処理を行う際に、硬貨収納カセット４４２に収納される硬貨が満杯となり、硬貨収納カセット４４２に収納された硬貨によって硬貨フル検知センサＰＳ５が透光状態から遮光状態となった場合には、硬貨収納カセット４４２において硬貨がフル状態であることが検出される。
【０１１５】
また、図１１に示すように、貨幣処理機４１０の筐体４１１の上面には、操作者が貨幣処理機４１０の制御部に対して様々な指令を行うための操作部４４５、および貨幣処理機４１０における貨幣の処理内容等を表示する表示部４４４が設けられている。ここで、操作部４４５は、例えばテンキーや確定キー、スタートキー、取消キーならびにリセットキーを有しており、操作者が各キーを押すことにより貨幣処理機４１０の制御部に対して様々な指令を行うことができるようになっている。表示部４４４は、例えば液晶ディスプレイ（ＬＣＤ）から構成されている。
【０１１６】
また、筐体４１１の前面には、貨幣処理機４１０における貨幣の処理内容等を印字するプリンター４４３、および操作者の操作権限の確認を行うためのカードリーダ４４６がそれぞれ設けられている。カードリーダ４４６は、操作者が携帯するＩＤカードのＩＤ情報の読み取りを行うようになっている。
【０１１７】
この貨幣処理機４１０では、紙幣処理装置４２０の各リサイクル式紙幣収納部４２７に収納された紙幣を当該紙幣処理装置４２０の外部に出したり、硬貨処理装置４３０の各リサイクル式硬貨収納部４３４に収納された硬貨を当該硬貨処理装置４３０の外部に出したりすることで、貨幣を出金することができる。
【０１１８】
このような貨幣処理機４１０においても、上記第１及び第２の実施形態と同様に、貨幣収納部４４０の紙幣収納カセット４４１及び硬貨収納カセット４４２に対して、個別収納上限額や合計収納上限額が設定され、これらの上限額を超えないように貨幣の収納可否が判定される。
【０１１９】
そのため、紙幣収納カセット４４１及び硬貨収納カセット４４２には所定の上限額を超える貨幣が収納されず、回収・搬送される紙幣収納カセット４４１及び硬貨収納カセット４４２の収納額は上限額以下となる。収納上限額を、加入する保険の保険料に応じた金額に設定することで、保険料が実運用に合ったものとなり、紙幣収納カセット４４１及び硬貨収納カセット４４２の回収コストを削減することができる。また、収納上限額を設定することで、紙幣収納カセット４４１及び硬貨収納カセット４４２が盗難にあった際の被害額を抑制できる。また、収納上限額までしか貨幣が収納されないため、紙幣収納カセット４４１及び硬貨収納カセット４４２を回収する作業員の精神的負担を軽減することができる。
【０１２０】
上記第１及び第２の実施形態で示した貨幣処理機１は紙幣の識別計数機能を有しており、硬貨や商品券等の有価媒体については封筒に入れて、有価媒体の情報を手入力していたが、店頭のレジ等において有価媒体の情報をバーコード化した明細書を発行し、有価媒体が入った封筒の収納時に、貨幣処理機１に設けたバーコードリーダにより明細書のバーコードを読み取って、収納する有価媒体の情報を取得するようにしてもよい。このようなバーコードを用いることで、手入力に伴うデータ誤入力の発生を防止できる。
【０１２１】
また、貨幣処理機１に硬貨の識別計数を行う硬貨計数機を通信可能に接続し、収納する硬貨の計数結果を硬貨計数機から貨幣処理機１へ送信するようにしてもよい。貨幣処理機１は、硬貨計数機から受け取った計数結果を用いて、硬貨の収納可否を判定する。硬貨計数機で計数された硬貨は封筒に入れられて、貨幣処理機１の収納カセット７０に収納される。
【０１２２】
上記第１〜第３の実施形態において、収納カセットの収納上限額は店舗側で設定してもよいし、警備会社が設定してもよい。また、収納上限額を日本円、ドル、ユーロ等の通貨毎に設定できるようにしてもよい。また、１つの基本通貨についての収納上限額及び他通貨との為替レートを設定し、他通貨が収納される場合は為替レートを用いて基本通貨の金額に換算し、収納上限額を超えないように貨幣の収納可否を判定するようにしてもよい。
【０１２３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１２４】
１  貨幣処理機
１ａ  筐体
５  表示入力部
５ａ  モニタ
５ｂ  入力キー
６  プリンター
７  テンキー
８  カード読取部
１０  挟持搬送機構
２０  載置部
２５  受入部
２６  キッカローラ
２７ａ  フィードローラ
２７ｂ  ゲートローラ
３０  搬送部
３１  搬送ベルト
３２  搬送ローラ
３５  羽根車
３５ａ  羽根
４０  識別部
５０  制御部
５４  記憶部
５６  インターフェース部
６０  集積部
６２  前面シャッター部
６４  支持部
６５  リジェクト部
７０  収納カセット
７１  スリット開口部
７２  スリットシャッター部
７５  収納筐体
７６  把手
７７  扉
１００  店舗サーバー
１１０  本店サーバー
２００  現金センター
３００  銀行
【図１】
2013131111.tif 000003
【図２】
2013131111.tif 000004
【図３】
2013131111.tif 000005
【図４】
2013131111.tif 000006
【図５】
2013131111.tif 000007
【図６】
2013131111.tif 000008
【図７】
2013131111.tif 000009
【図８】
2013131111.tif 000010
【図９】
2013131111.tif 000011
【図１０】
2013131111.tif 000012
【図１１】
2013131111.tif 000013
【図１２】
2013131111.tif 000014
【図１３】
2013131111.tif 000015
【図１４】
2013131111.tif 000016